(57)【特許請求の範囲】
【請求項１】
箱体と、この箱体の正面側に取り付けられる開閉可能な扉とを有する収納棚であって、
前記箱体は、二枚の垂直板と、上部水平板と、背板と、下部水平板とを備え、
前記背板は建物の壁面に固定され、かつ、前記上部水平板は前記建物の天井から所定距離下方に位置しており、
前記扉の上部は前記箱体の上部水平板よりも上方に突出し、この突出部分と前記上部水平板の上面とで収納空間が形成されており、
前記箱体の垂直板のうち少なくとも一方の垂直板の外面には、収納棚の側板となる板材が取り付けられ、
前記板材はその上部が前記上部水平板よりも上方に突出し、前記板材の前記上部水平板からの突出寸法は、少なくとも前記扉の前記上部水平板からの突出寸法以上とされていることを特徴とする収納棚。
【発明の詳細な説明】
【０００１】
【発明の属する技術分野】
本発明は、扉付きの収納棚に関する。
【０００２】
【背景技術】
従来から、住宅等の建物においては、収納棚が使用されている。収納棚としては、美観を考慮して、収納棚の棚本体の正面側に扉が取り付けられているものが多く使用されている。
このような収納棚の中には、建物の床面に設置される置き戸棚や、予め建物に取り付けられている作りつけの戸棚がある。作りつけの戸棚には、背板を設けず、建物の壁面に金具を取付け、側板、棚板、天板等を固定する固定方式の棚（特開平１１−３４６８４４号公報参照）や、天板、側板、背板、棚板からなる箱体を壁面に固定する箱形方式の棚がある。
【０００３】
【発明が解決しようとする課題】
ところで、このような作りつけの戸棚を使用する場合、以下に述べる不都合がある。
固定方式の棚においては、側板等をそれぞれ壁面に固定するため、棚の組立に手間がかかるという問題がある。
箱形方式の棚は吊り戸棚として使用されることが多く、その天板は天井への取り付けに使用され、天板の厚さ分、上下の収納スペースが減ってしまうため、収納スペースの有効利用を図ることができない。
【０００４】
一方、上記の箱形方式の棚の一段分を減らした高さ寸法の棚を形成し、箱形方式の棚の天板を一段分天井から離して設置することも考えられる。この場合、その天板を棚板として使用し、その上面に物を置き、収納スペースを確保することができるが、扉は天板の上部にまで形成されていないため、これらの物を扉で隠すことができず、これらの物が箱体の外部に露出してしまい、見栄えが悪いという問題がある。
さらに、これらの作りつけの戸棚は、通常、側板を二枚使用して組み立てられ、その一方の側板は壁面に固定されることが多いが、側板の厚さ分、収納スペースの横幅寸法が減ってしまうという問題もある。
【０００５】
本発明の目的は、組み立て作業が容易であり、収納スペースを十分に確保することができ、外観が良好な収納棚を提供することである。
【０００６】
【課題を解決するための手段】
そのため、本発明は以下の構成を採用して前記目的を達成しようとするものである。
請求項１記載の発明は、箱体３０，３１，３０Ｂと、この箱体の正面側に取り付けられる開閉可能な扉４とを有する収納棚１，１Ｂであって、前記箱体は、二枚の垂直板３０２，３０３，３１２，３１３，３０２Ｂ，３０３Ｂと、上部水平板３００，３１０，３００Ｂと、背板３０１，３１１,３０１Ｂと、下部水平板３０４，３１４，３０４Ｂとを備え、前記背板は建物の壁面２２に固定され、かつ、前記上部水平板は前記建物の天井２１から所定距離下方に位置しており、前記扉の上部は前記箱体の上部水平板よりも上方に突出し、この突出部分と前記上部水平板の上面とで収納空間が形成されており、前記箱体の垂直板のうち少なくとも一方の垂直板の外面には、収納棚の側板３２となる板材が取り付けられ、前記板材はその上部が前記上部水平板よりも上方に突出し、前記板材の前記上部水平板からの突出寸法は、少なくとも前記扉の前記上部水平板からの突出寸法以上とされていることを特徴とする。
【０００７】
ここで、扉の上部が箱体の上部水平板よりも上方へ突出しているとは、箱体の正面側の一部または全部と、箱体の上部水平板と天井との隙間の正面側とを一体的に扉で覆うことをいう。また、収納空間を形成しているとは、扉を閉めた際に、上部水平板上に置いた収納物が収納棚の正面側から落下しない程度、扉の上部が上部水平板から上方に突出していることをいう。さらに、開閉可能な扉は、引き戸でもよく、扉の一端に設けられた蝶番が回転軸となって開く扉等でもよい。
【０００８】
この構成の本発明では、収納棚は箱体を有しており、扉の上部は箱体の上部水平板よりも上方に突出し、この突出部分と上部水平板の上面とで収納空間が形成されているため、この上部水平板の上面に置いた物が外部に露出しにくく、収納棚の外観が良好となる。また、扉の突出部分と上部水平板とで収納空間を形成しており、上部水平板に置かれた収納物が扉を閉めておくことで、正面側から落下しないため、収納棚の使い勝手がよいものとなる。
【０００９】
さらに、収納棚の箱体は上部水平板と、垂直板と、背板と、下部水平板とを備えており、箱形形状になっているため、背板を壁面に固定すれば、上部水平板、垂直板、下部水平板とが所定位置に設置されることとなるので、上部水平板や下部水平板、垂直板を各々壁面に固定する必要がなく、収納棚の組み立て作業が容易となる。
また、収納棚の箱体は箱形形状になっており、上部水平板、垂直板、下部水平板とで構成される箱体の枠組みの部分が背板により内部から支持される構造となっているので、その上面や側面から圧力がかかった場合でも形状が崩れにくい。従って、収納棚はこの箱体を有して構成されているため、強度を確保することができる。
【００１０】
さらに、扉の上部が箱体の上部水平板よりも上方へ突出しており、箱体の正面側の一部または全部と、箱体の上部水平板と天井との隙間の正面側とを一体的に扉で覆っているため、箱体の外部であっても収納棚の一部として認識することができ、収納棚の外観が良いものとなる。
また、扉の突出部分と上部水平板とで形成される収納空間は、天井までを収納スペースとしており、収納棚の天板が不要となるので、その厚さ分を収納スペースとして有効利用することができる。
【００１５】
さらに、この発明では、垂直板の外面に取り付けられる板材は、その上部が上部水平板よりも上方に突出しているため、側板側から収納棚を見ても、箱体の上部水平板上面に置かれた物が見えず、収納棚の外観を向上させることができる。
箱体の少なくとも一方の垂直板の外面には、収納棚の側板となる板材が取り付けられており、垂直板と側板とで板材が二重になっているため、収納棚の側面の強度を高めることができる。
また、箱体の垂直板の外面に箱体とは別体の板材を取り付けるため、板材を箱体の一方の垂直板の外面に取り付ける場合でも、他方の垂直板に取り付ける場合でも、同一形状の箱体を使用することができる。
【００２３】
【発明の実施の形態】
以下、本発明の実施の形態を図１から９に基づいて説明する。ここで各実施形態中、同一構成要素には同一符号を付して説明を省略もしくは簡単にする。
図１から図５には本発明の第一実施形態が示されている。
図１及び図２には、収納棚１が示されている。収納棚１は建物の壁面２２と壁面２２に交差する壁面２３に沿って配置される。
【００２４】
収納棚１は棚本体３と、扉４とを備えている。棚本体３はその上部に配置される箱体３０と、その下部に配置される箱体３１と、板材である側板３２と、ハンガーレール３３とを有している。
棚本体３の下部に取り付けられる箱体３０は、上部水平板３００と下部水平板３０４とを所定距離離して平行に配置し、この上部水平板３００と下部水平板３０４の端部間に垂直板３０２，３０３を掛け渡して平面矩形形状の枠組みを構成し、この平面矩形形状の枠組みの裏面側に背板３０１(図３参照)を取り付けたものである。背板３０１の裏面側の上下端には固定部材３０６（図３参照）が設けられている。また、箱体３０の垂直板３０２，３０３間には、１枚の棚板３０５が取り付けられている。
【００２５】
棚本体３の上部に取り付けられる箱体３１も箱体３０と同様、上部水平板３１０と背板３１１(図３参照)と垂直板３１２，３１３と、下部水平板３０４とから構成されており、背板３１１の裏面側の上下端には固定部材３０６(図３参照)が設けられている。
箱体３１の上部水平板３１０及び下部水平板３１４の横幅寸法は箱体３０の上部水平板３００及び下部水平板３０４の横幅寸法よりも長いものとなっており、箱体３１の上部水平板３１０及び下部水平板３１４間には、仕切板３１６が設けられている。この仕切板３１６と垂直板３１３との間には棚板３０５が取り付けられている。
【００２６】
箱体３０は、その下部水平板３０４が床面２０から所定距離、例えば、床面２０から２０〜３０ｃｍ上方に位置するように、その背板３０１を壁面２２に固定することで設置される。
箱体３１はその上部水平板３１０が天井２１から所定距離、例えば、天井２１から２０〜３０ｃｍ下方に位置するように、その背板３１１を壁面２２に、その垂直板３１２を壁面２３に固定することで設置される。
なお、壁面２２には箱体３０，３１の背板３０１，３１１の上端に取り付けられた固定部材３０６を係止する角材状の係止部材２２１が設置されている。
【００２７】
棚本体３の側板３２は、建物の床面２０から天井２１までの高さ寸法と等しい長さ寸法であり、側板３２の下端面は床面２０に、側板３２の上端面は天井２１に当接している。この側板３２には箱体３０の一方の垂直板３０３及び箱体３１の一方の垂直板３１３が固定される。側板３２の上部は箱体３１の上部水平板３１０よりも上方へ突出しており、側板３２の下部は箱体３０の下部水平板３０４よりも下方へ突出している。
【００２８】
さらに図３を参照して説明すると、扉４は三枚の扉本体４１から構成されており、棚本体３の正面側に取り付けられている。図３右側の扉本体４１は側板３２にヒンジ５を介して開閉可能に取り付けられており、中央部の扉本体４１及び左側の扉本体４１は箱体３０の垂直板３０２及び箱体３１の仕切板３１６にヒンジ５を介して開閉可能に取り付けられている。
【００２９】
扉本体４１の上部は箱体３１の上部水平板３１０から上方に突出しており、上部水平板３１０上に置いた収納物が外部から見えないように、扉本体４１の上端部は天井２１まで延長されている。また、扉本体４１の下端部は箱体３０の下部水平板３０４よりも下方に突出しており、扉本体４１の下端部も床面２０に置いた物が外部から見えないよう床面２０まで延長されている。
これらの扉本体４１と側板３２により、箱体３０の下部水平板３０４の下方と、箱体３０の上部水平板３００と箱体３１の下部水平板３１４との間と、箱体３１の上部水平板３１０の上部には収納空間が形成されている。
【００３０】
図４に図２のIV-IV方向の断面図を示す。箱体３１の上部水平板３１０及び下部水平板３１４の横幅寸法は箱体３０の上部水平板３００及び下部水平板３０４の横幅寸法が長いものとなっているため、壁面２３側の箱体３１の下部水平板３１４の下方には、床面２０から下部水平板３１４までの高さ寸法の収納空間が形成されている。
なお、ハンガーレール３３は箱体３１の下部水平板３１４の下面に取り付けられている。
【００３１】
図５に基づき、収納棚１の組み立てについて説明する。
まず、壁面２２の所定位置に取り付けられた係止部材２２１に箱体３１の背板３１１に設けられた固定部材３０６を係止させる。次に、箱体３１の内部側から背板３１１の裏面に設けられた固定部材３０６をビス打ちし、箱体３１を壁面２２に取り付ける。箱体３１の他方の垂直板３１２を壁面２３に固定する。ついでハンガーレール３３を箱体３１に取り付ける。さらに、箱体３０を壁面２２の所定位置に取り付け、箱体３０及び箱体３１の垂直板３０３，３１３に側板３２に固定する。最後に、扉４を取り付ける。
【００３２】
従って、本実施の形態によれば、以下の効果を奏することができる。
（１）収納棚１は箱体３１を有しており、扉４の上部は箱体３１の上部水平板３１０よりも上方に突出し、その上端部が天井２１まで延長されているため、扉４を閉めておくことで、この上部水平板３１０の上面に置いたものが外部から見えることがなく、収納棚１の外観が良好となる。
（２）収納棚１の扉４はヒンジ５が緩むと下方に傾くことがあり、扉本体４１の下端部を床面２０に当接させた場合、扉本体４１が開かなくなってしまうことがあるため、扉本体４１の下端部と床面２０との間にはある程度の隙間を形成しなければならないが、扉本体４１の上端部を天井２１に当接させ、箱体３１の上部の空間を扉本体４１で完全に覆うこと、あるいは、扉本体４１の下端部と床面２０との隙間に比べ、天井２１と扉本体４１の上端部との隙間を狭くすることは可能であるため、箱体３１と天井２１との間の空間は、箱体３１と床面２０との空間を収納空間として利用する場合に比べ利用価値がある。
【００３３】
（３）扉本体４１の箱体３１の上部水平板３１０からの突出部分と、上部水平板３１０とで形成される収納空間は、天井２１までを収納スペースとしており、収納棚１の天板が不要となるので、その厚さ分を収納スペースとして有効利用することができる。
【００３４】
（４）収納棚１の天板が不要となるので、その厚さ分を収納スペースとして有効利用することができる。
【００３５】
（５）収納棚１の箱体３０は上部水平板３００と、垂直板３０２，３０３と、背板３０１と、下部水平板３０４とを備えており、箱形形状になっているため、背板３０１を壁面２２に固定すれば、上部水平板３００、垂直板３０２，３０３、下部水平板３０４とが所定位置に設置されることとなるので、上部水平板３００や下部水平板３０４等を各々壁面２２に固定する必要がなく、収納棚１の組み立て作業が容易となる。なお、箱体３１も同様の効果を奏する。
【００３６】
（６）収納棚１の箱体３０は箱形形状になっており、上部水平板３００、垂直板３０２，３０３、下部水平板３０４とで構成される箱体の枠組みの部分が背板３０１により内部から支持される構造となっているので、その上面や側面から圧力がかかった場合でも形状が崩れにくい。箱体３１も同様であり、収納棚１はこの箱体３０,３１を有して構成されているため、その強度を確保することができる。
【００３７】
（７）箱体３１の背板３１１は壁面２２に固定され、他方の垂直板３１２は他の壁面２３に固定されており、箱体３１の２面が固定されているので、箱体３１に力が加わった場合でも、箱体３１の取り付け位置がずれることがなく、箱体３１の支持強度を確保することができる。
【００３８】
（８）箱体３０，３１の垂直板３０３,３１３の外面には収納棚１の側板３２となる板材が取り付けられおり、側板３２と垂直板３０３,３１３とで二重となっているため、収納棚１の側面の強度を高めることができる。
【００３９】
（９）箱体３０，３１の垂直板３０３,３１３の外面には箱体３０，３１とは別体の側板３２が取り付けられるため、左右どちらの垂直板に側板３２を取り付けるかにかかわらず、同一形状の箱体３０，３１を使用することができる。
【００４０】
（１０）収納棚１の棚板３０５は箱体３０，３１の内部にのみ取り付けられており、箱体３０,３１の外部には設けられていないため、箱体３０，３１の取り付け作業と同時に棚板の設置作業が行われることとなるので、収納棚１の組み立て作業が簡単となる。
【００４１】
（１１）箱体３１の垂直板３１３の外面には、床面２０から天井２１までの高さ寸法と等しい長さ寸法であり、天井２１にその上端面が当接する側板３２が設けられているため、側板３２側から収納棚１を見ても、箱体３１の上部水平板３１０上面に置かれた物が見えず、収納棚１の外観が良好となる。
【００４２】
（１２）箱体３０，３１の垂直板３０３，３１３は棚本体３の側板３２に固定され、この側板３２は床面２０に当接しているため、箱体３０，３１にかかる荷重を床面２０まで伝達することができ、箱体３０，３１の支持強度を高めることができる。
【００４３】
（１３）扉本体４１と側板３２は箱体３０，３１と、箱体の外部の空間とを一体的に覆っているため、箱体３０，３１の外部であっても収納棚１の内部として認識することができ、収納棚１の外観が良いものとなる。
【００４４】
（１４）扉本体４１はその上端部が天井２１まで延長し、その下端部は床面２０まで延長しており、側板３２は床面２０から天井２１までの高さと同じ高さ寸法を有しているため、箱体３０の上部水平板３００と箱体３１の下部水平板３１４との間の空間も収納空間として利用することができ、箱体３０の上部水平板３００の上面に置いた物も外部から見えることがないので、収納棚１の外観が良好となる。
【００４５】
（１５）扉本体４１は床面２０まで延長されており、側板３２の下端面は床面２０に当接し、箱体３０は、その下部水平板３０４が床面２０よりも所定距離上方に位置するように取り付けられているため、箱体３０の下部水平板３０４の下方を収納スペースとして利用することでき、さらに、収納した物が扉本体４１と側板３２により外部に露出しないため収納棚１の外観が良好となる。
【００４６】
（１６）収納棚１Ａには底板が設けられていないため、その厚さ分上下方向の収納スペースを確保することができる。
【００４７】
（１７）壁面２２に、予め係止部材２２１を取り付け、この係止部材２２１に箱体３０，３１の固定部材３０６を係止させることで、箱体３０，３１の設置位置を容易に決めることができる。
【００４８】
次に、本発明の第二実施形態を図６及び図７に示す。
図６及び図７に示すように、収納棚１Ａは箱体３０Ａと扉４とを有している。
箱体３０Ａは、上部水平板３００Ａとこの上部水平板３００Ａよりも横幅寸法の短い下部水平板３０４Ａとを所定距離離して平行に配置し、この上部水平板３００Ａと下部水平板３０４Ａの一方の端部間を覆うように垂直板３０３Ａを取り付け、上部水平板３００Ａの下面と下部水平板３０４Ａの他方の端部間に垂直板３０２Ａを設け、平面矩形形状の枠組みを構成し、この平面矩形形状の枠組みの裏面側に背板３０１Ａ(図３参照)を取り付けたものである。
【００４９】
垂直板３０２Ａは下部水平板３０４Ａから上部水平板３００Ａまでの高さ寸法と略等しい高さ寸法を有している。垂直板３０３Ａは、その下端部が下部水平板３０４Ａよりも下方に突出し、その下端面が床面２０に当接している。また、下部水平板３０４Ａは床面２０から所定距離上方に位置している。さらに、上部水平板３００Ａは垂直板３０２Ａよりも壁面２３側に突出し、その側端面は壁面２３に当接しており、垂直板３０２Ａは壁面２３から所定距離離れて位置している。
【００５０】
箱体３０Ａの上部水平板３００Ａ、下部水平板３０４Ａ間には仕切板３１６が設けられており、仕切板３１６と垂直板３０３Ａ間には棚板３０５が取り付けられている。
収納棚１Ａにおいて、垂直板３０３Ａから仕切板３１６までの横幅寸法は仕切板３１６から壁面２３までの横幅寸法と等しいものとなっている。
【００５１】
扉４は箱体３０Ａの正面側に取り付けられ、二枚の扉本体４１から構成される。扉本体４１は床面２０から上部水平板３００Ａまでの高さ寸法と略等しく、その下端部は床面２０まで延長されている。扉本体４１の横幅寸法は垂直板３０３Ａから仕切板３１６までの長さ寸法と略同じであり、それぞれ垂直板３０３Ａまたは仕切板３１６にヒンジ５を介して開閉可能に取り付けられている。仕切板３１６に取り付けられる扉本体４１は垂直板３０２Ａよりも壁面２３側へ突出し、仕切板３１６から壁面２３までを一体的に覆っており、この扉本体４１の垂直板３０２Ａからの突出部分と、垂直板３０２Ａとで収納空間を形成している。
【００５２】
従って第二実施形態によれば、第一実施形態の（５）、（６）、（１０）、（１６）と同様の効果を奏することができるほか、以下の効果を奏することができる。
（１８）箱体３０Ａの垂直板３０２Ａは建物の壁面２３から所定距離離れて位置しており、扉本体４１の側部は垂直板３０２Ａよりも壁面２３へ突出し、扉本体４１の突出部分と箱体３０Ａの垂直板３０２Ａとで収納空間を形成しているため、箱体３０Ａと壁面２３との間の隙間を収納スペースとして利用することができる。
【００５３】
（１９）扉本体４１の突出部分と箱体３０Ａの垂直板３０２Ａとで形成される収納空間は壁面２３までを収納スペースとしているため、収納棚１Ａの壁面２３側の側板が不要となり、その分のスペースを収納スペースとして利用できる。さらに、収納棚１Ａの一方の側板が不要となるので、部材点数の削減を図ることができる。
【００５４】
（２０）収納棚１Ａの扉本体４１の横幅寸法は仕切板３１６から壁面２３までの長さ寸法と略等しいため、箱体３０Ａと壁面２３との間の隙間に物を収納しても、外部に物が露出せず、収納棚１Ａの外観が良好である。
【００５５】
（２１）左側の扉本体４１は、仕切板３１６から壁面２３までを一体的に覆っているので、箱体３０Ａの外部であっても収納棚１Ａの内部として認識することができ、収納棚１Ａの外観が良いものとなる。
【００５６】
（２２）下部水平板３０４Ａは床面２０よりも上方に位置しており、扉本体４１は床面２０から上部水平板３００Ａまでの高さ寸法と略等しい高さ寸法を有しているため、下部水平板３０４Ａの下方の空間を収納スペースとして利用することができ、収納物が外部に露出しないため収納棚１Ａの外観が良好となる。
【００５７】
（２３）垂直板３０３Ａの下端面は床面２０に当接しているため、箱体３０Ａにかかる荷重を床面２０に伝達することができ、箱体３０Ａの支持強度を高めることができる。
【００５８】
次に、本発明の第三実施形態を図８及び図９に示す。
図８及び図９に示すように、収納棚１Ｂは吊り戸棚であり、箱体３０Ｂと、その正面側に取り付けられる扉４とを有する。
箱体３０Ｂは、第一実施形態の箱体３１と同様、上部水平板３００Ｂと背板３０１Ｂと、二枚の垂直板３０２Ｂ，３０３Ｂと、下部水平板３０４Ｂとから構成されているが、垂直板３０３Ｂの上部が上部水平板３００Ｂよりも上方に突出している点で箱体３１と異なっている。
【００５９】
背板３０１の裏面側の上下端には固定部材３０６が設けられている。箱体３０Ｂはその上部水平板３００Ｂが天井２１よりも所定距離下方に位置するように取り付けられており、垂直板３０３Ｂの上端面は天井２１に当接している。
垂直板３０２Ｂは壁面２３に固定され、背板３０１Ｂが壁面２２に固定されている。箱体３０Ｂの上部水平板３００Ｂ及び下部水平板３０４Ｂ間には仕切板３１６が設けられており、この仕切板３１６と垂直板３０３Ｂとの間には棚板３０５が取り付けられている。
扉４は三枚の扉本体４１とから構成され、それぞれの扉本体４１の高さ寸法は垂直板３０３Ｂの高さ寸法と略等しいものとなっており、その上部は上部水平板３００Ｂよりも上方に突出し、上部水平板３００Ｂ上に置いた物が外部から見えないよう天井２１まで延長されている。
【００６０】
従って第三実施形態によれば、第一実施形態の（１）から（７）及び（１０）の効果と同様の効果を奏することができるほか、以下の効果を奏することができる。
（２４）箱体３０Ｂの垂直板３０３Ｂはその上部が上部水平板３００Ｂよりも上方に突出し、天井２１に当接しているので、垂直板側３０３Ｂから収納棚１Ｂを見ても、箱体３０Ｂの上部水平板３００Ｂ上面に置かれた物が、外部に露出することがない。
【００６１】
（２５）箱体３０Ｂの垂直板３０３Ｂはその上部が上部水平板３００Ｂよりも上方に突出しており、箱体３０Ｂの垂直板３０３Ｂと収納棚１Ｂの側板とを兼ねることができるため、別途、収納棚１Ｂの側板を設ける必要がなく、部材点数の削減を図ることができる。
【００６２】
（２６）収納棚１Ｂは吊り戸棚であり、従来の吊り戸棚の天板は天井への取り付けに使用されることが多く、天板を棚板として有効利用することが困難であったが、本実施形態では、箱体３０Ｂはその上部水平板３００Ｂが天井２１から所定距離下方に位置するように取り付けられているため、箱体３０Ｂの上部水平板３００Ｂも棚板の一部として利用することができる。
【００６３】
なお、本発明は前述の実施の形態に限定されるものではなく、本発明の目的を達成できる範囲での変形、改良等は本発明に含まれるものである。
例えば、第一実施形態では、箱体３０，３１の垂直板３０３，３１３の外面に側板３２を取り付けていたが、本発明では図１０に示すように垂直板３０３と垂直板３１３を一体化し、その高さ寸法が床面２０から天井２１までの高さ寸法と等しい垂直板３０３Ｄを使用してもよい。このようにすれば、箱体３０，３１の垂直板３０３，３１３と収納棚の側板とを兼ねることができるため、別途、収納棚の側板を設ける必要がなく、部材点数の削減を図ることができる。
【００６４】
また、第一実施形態では、箱体３１の垂直板３０２を壁面２３に固定していたが、図１０に示すように、仕切板３１６を垂直板とし、上部水平板３１０及び下部水平板３１４を壁面２３に当接させてもよい。このようにすれば、垂直板３０２を設ける必要がなく、部材点数の削減を図ることができる。さらに、壁面２３と、上部水平板３１０及び下部水平板３１４とで収納スペースが形成されるので、垂直板３０２の厚さ分、横幅方向の収納スペースを確保することができる。
また、扉本体４１は、その上端部が天井２１まで延長されているとしたが、箱体３１の上部水平板３１０の上面に収納した収納物が外部から見えない程度扉本体４１の上部が、箱体３１の上部水平板３１０よりも上方に突出していればよい。
【００６５】
第一及び第三実施形態において、側板３２または垂直板３０３Ｂは天井２１に当接しているものとしたが、これに限らず、内部に収納した収納物が外部に露出せず、あるいは、収納物が落下しなければ、扉本体４１よりも箱体３１、３０Ｂの上部水平板３１０，３００Ｂから上方に突出していなくてもよい。
【００６６】
第二実施形態において、左側の扉本体４１は、その横幅寸法が仕切板３１６から壁面２３までの長さ寸法と略等しく、垂直板３０２Ａよりも壁面２３へ突出し、仕切板３１６から壁面２３までを一体的に覆っているとしたが、これに限らず、垂直板３０２Ａと壁面２３との間に収納した物が外部から見えない程度、扉本体が壁面２３側に突出していればよい。
さらに、上部水平板３００Ａは垂直板３０２Ａよりも壁面２３側に突出し、その側端面は壁面２３に当接しているものとしたが、これに限らず、壁面に当接しない長さ寸法のものでもよい。
【００６７】
また、箱体３０Ａの上部水平板３００Ａは、垂直板３０２Ａよりも壁面２３側に突出し、その側端面は壁面２３に当接しているとしたが、箱体３０Ａの上部水平板を下部水平板３０４Ａと同じ横幅寸法に形成し、上部水平板の上面に収納棚１Ａの天板となる板材を別途取り付けてもよい。このようにすれば、箱体３０Ａと収納棚１Ａの天板とは別体であり、天板を箱体３０Ａの右側を突出させるか左側に突出させるかによらず、共通の箱体３０Ａを使用することができる。
さらに、箱体３０Ａの垂直板３０３Ａは、その下端部が下部水平板３０４Ａよりも下方に突出しているとしたが、この垂直板を垂直板３０２Ａと同じ長さ寸法にし、その外面に床面２０から上部垂直板３００Ａまでの高さ寸法を有する側板を取り付けてもよい。
【００６８】
第一及び第二実施形態において、収納棚１，１Ａには底板を設けず、床面２０を底板として使用していたが、これに限らず、底板を取り付けてもよい。
前記実施形態において、扉本体４１はヒンジ５により取り付けられ、その幅方向の端部を軸として左右に開閉するものであったが、これに限らず、扉本体の高さ方向の端部にヒンジ５を取り付け、その端部を軸として、上下方向に開く扉としてもよい。さらに、レールを取り付け、扉を引き戸としてもよい。
【００６９】
【発明の効果】
このような請求項１記載の発明によれば、収納棚は箱体を有しており、扉の上部は箱体の上部水平板よりも上方に突出し、この突出部分と上部水平板の上面とで収納空間が形成されているため、この上部水平板の上面に置いた物が外部に露出しにくく、収納棚の外観が良好となる。また、扉の突出部分と上部水平板とで収納空間を形成しており、上部水平板に置かれた収納物が扉を閉めておくことで、正面側から落下しないため、収納棚の使い勝手がよいものとなる。
【００７０】
さらに、収納棚の箱体は上部水平板と、垂直板と、背板と、下部水平板とを備えており、箱形形状になっているため、背板を壁面に固定すれば、上部水平板、垂直板、下部水平板とが所定位置に設置されることとなるので、上部水平板や下部水平板、垂直板を各々壁面に固定する必要がなく、収納棚の組み立て作業が容易となる。
また、収納棚の箱体は箱形形状になっており、上部水平板、垂直板、下部水平板とで構成される箱体の枠組みの部分が背板により内部から支持される構造となっているので、その上面や側面から圧力がかかった場合でも形状が崩れにくい。従って、収納棚はこの箱体を有して構成されているため、強度を確保することができる。
【００７１】
さらに、扉の上部が箱体の上部水平板よりも上方へ突出しており、箱体の正面側の一部または全部と、箱体の上部水平板と天井との隙間の正面側とを一体的に扉で覆っているため、箱体の外部であっても収納棚の一部として認識することができ、収納棚の外観が良いものとなる。
また、扉の突出部分と上部水平板とで形成される収納空間は、天井までを収納スペースとしており、収納棚の天板が不要となるので、その厚さ分を収納スペースとして有効利用することができる。
【００７５】
さらにこの発明によれば、垂直板の外面に取り付けられる板材は、その上部が上部水平板よりも上方に突出しているため、側板側から収納棚を見ても、箱体の上部水平板上面に置かれた物が見えず、収納棚の外観を向上させることができる。
箱体の少なくとも一方の垂直板の外面には、収納棚の側板となる板材が取り付けられており、垂直板と側板とで板材が二重になっているため、収納棚の側面の強度を高めることができる。
また、箱体の垂直板の外面に箱体とは別体の板材を取り付けるため、板材を箱体の一方の垂直板の外面に取り付ける場合でも、他方の垂直板に取り付ける場合でも、同一形状の箱体を使用することができる。
【図面の簡単な説明】
【図１】本発明の第一実施の形態にかかる収納棚を示す斜視図である。
【図２】前記実施形態にかかる収納棚を示す正面図である。
【図３】図２のIII-III方向の縦断面図である。
【図４】図２のIV-IV方向の縦断面図である。
【図５】前記実施形態にかかる収納棚を示す分解斜視図である。
【図６】本発明の第二実施の形態にかかる収納棚を示す斜視図である。
【図７】前記実施形態にかかる収納棚を示す正面図である。
【図８】本発明の第三実施の形態にかかる収納棚を示す斜視図である。
【図９】前記実施形態にかかる収納棚の断面図である。
【図１０】本発明の実施形態にかかる収納棚の変形例を示す斜視図である。
【符号の説明】
１，１Ａ，１Ｂ                            収納棚
４                                        扉
２０                                      床面
２１                                      天井
２２，２３                                壁面
３０，３１，３０Ａ，３０Ｂ                箱体
３００，３１０,３００Ａ，３００Ｂ         上部水平板
３０１，３１１,３０１Ｂ                   背板
３０２，３０３,３１２，３１３，
３０２Ａ，３０３Ａ，３０２Ｂ，３０３Ｂ    垂直板
３０４，３１４，３０４Ａ，３０４Ｂ        下部水平板
３２                                      側板
【図１】
0004879422.tif 000002
【図２】
0004879422.tif 000003
【図３】
0004879422.tif 000004
【図４】
0004879422.tif 000005
【図５】
0004879422.tif 000006
【図６】
0004879422.tif 000007
【図７】
0004879422.tif 000008
【図８】
0004879422.tif 000009
【図９】
0004879422.tif 000010
【図１０】
0004879422.tif 000011